(57)【要約】【目的】  畳台座の角部において、直框の結合固定を施工効率よく行うことができ、また、隙間が発生することなく、見栄えもよくすることができる新しい畳台座の角部框結合構造を提供する。【構成】  畳台座(1)の角部において直框(2)に結合される框結合部材(3)と、この框結合部材(3)に角カバー部材(4)が取り付け固定される畳台座の角部框結合構造であって、  框結合部材(3)は、角部両側の直框(2)に結合される角平板部(31)を備え、この角平板部(31)の上端面には係合溝(32)を有し、  角カバー部材(4)は、角カバー部(41)とともに天板部(42)を備え、この天板部(42)下面には突条(44)を有しており、框結合部材(3)の角平板部(31)上端面の係合溝(32)に角カバー部材(4)の天板部(42)下面の突条(44)が上方より嵌入されて、框結合部材(3)に角カバー部材(4)が取り付け固定されることを特徴とする。【選択図】図１
2005042495.tif 000002
【特許請求の範囲】
【請求項１】
畳台座の角部において直框に結合される框結合部材と、この框結合部材に角カバー部材が取り付け固定される畳台座の角部框結合構造であって、
框結合部材は、角部両側の直框に結合される角平板部を備え、この角平板部の上端面には係合溝を有しており、
角カバー部材は、角カバー部とともに天板部を備え、この天板部下面には突条を有し、
框結合部材の角平板部上端面の係合溝に角カバー部材の天板部下面の突条が上方より嵌入されて、框結合部材に角カバー部材が取り付け固定されることを特徴とする畳台座の角部框結合構造。
【請求項２】
請求項１記載の畳台座の角部框結合構造において、
框結合部材の角平板部の両側端部には上下方向に、スリットを有する溝が配設されており、
角カバー部材は、角カバー部両側端部に断面が略T字形の突条を有し、
框結合部材の角平板部両側端部の溝に、角カバー部材の角カバー部両側端部の突条が挿入される畳台座の角部框結合構造。
【請求項３】
請求項２記載の畳台座の角部框結合構造において、
框結合部材の角平板部両側端部におけるスリットを有する溝は、最下端が切欠かれており、
また、角カバー部材の角カバー部両側端部の突条も最下端が一部切欠かれているとともに、角カバー部下端には内方に向かう突設片が配置されており、
この突設片が、角カバー部の弾性変形にともなって、前記スリット表面を下方にスライドして、前記溝の切欠き部に弾性係合される畳台座の角部框結合構造。
【請求項４】
請求項３記載の畳台座の角部框結合構造において、スリットを有する溝部上端は、傾斜カットされており、前記突設片の弾性変形によるスライドの開始を容易とする畳台座の角部框結合構造。
【発明の詳細な説明】
【技術分野】
【０００１】
この出願の発明は、畳台座の角部框結合構造に関するものである。さらに詳しくは、この出願の発明は、畳台座の角部において、直框の結合固定を施工効率よく行うことができ、また、隙間が発生することなく、見栄えもよくすることができる新しい畳台座の角部框結合構造に関するものである。
【背景技術】
【０００２】
従来より、畳台座の角部において、框を結合する場合、お互いの端部をダボ結合している畳台座の角部框結合構造が知られている。
【０００３】
また、図５に例示したとおり、コーナー材(イ)を介して框(ウ)を結合し、かつ、コーナー材(イ)と框(ウ)とを釘（図示せず）等で下地に取り付けて、結合している畳台座(ア)の角部框結合構造が提案されている（たとえば、特許文献１参照）。
【特許文献１】特開平11-299557号公報
【発明の開示】
【発明が解決しようとする課題】
【０００４】
しかしながら、上記のとおり、畳台座の角部において、框を結合する場合は、框の端部を位置合わせして当接しながらダボ結合している。このため、位置合わせ作業とダボ結合作業を施工者1人で行うのは容易でなく2人作業となり、施工効率が非常に悪いという問題があった。また、結合部に隙間が発生して見栄えも悪くなるという問題があった。
【０００５】
特許文献１に例示した角部框結合構造の場合においても、コーナー材(イ)と框(ウ)との結合部に隙間が発生して、見栄えが悪いという問題が依然としてあった。
【０００６】
そこで、この出願の発明は、以上のとおりの事情に鑑みてなされたものであって、従来の問題点を解消し、畳台座の角部において、直框の結合固定を施工効率よく行うことができ、また、隙間が発生することなく、見栄えをよくすることもできる新しい畳台座の角部框結合構造を提供することを課題としている。
【課題を解決するための手段】
【０００７】
この出願の発明は、上記の課題を解決する手ものとして、第1には、畳台座の角部において直框に結合される框結合部材と、この框結合部材に角カバー部材が取り付け固定される畳台座の角部框結合構造であって、
框結合部材は、角部両側の直框に結合される角平板部を備え、この角平板部の上端面には係合溝を有しており、
角カバー部材は、角カバー部とともに天板部を備え、この天板部下面には突条を有し、
框結合部材の角平板部上端面の係合溝に角カバー部材の天板部下面の突条が上方より嵌入されて、框結合部材に角カバー部材が取り付け固定されることを特徴とする畳台座の角部框結合構造を提供する。
【０００８】
また、この出願の発明は、第2には、前記第1の発明の畳台座の角部框結合構造において、
框結合部材の角平板部の両側端部には上下方向に、スリットを有する溝が配設されており、
角カバー部材は、角カバー部両側端部に断面が略T字形の突条を有し、
框結合部材の角平板部両側端部の溝に、角カバー部材の角カバー部両側端部の突条が挿入される畳台座の角部框結合構造を提供する。
【０００９】
さらに第3には、前記第2の発明の畳台座の角部框結合構造において、
框結合部材の角平板部両側端部におけるスリットを有する溝は、最下端が切欠かれており、
また、角カバー部材の角カバー部両側端部の突条も最下端が一部切欠かれているとともに、角カバー部下端には内方に向かう突設片が配置されており、
この突設片が、角カバー部の弾性変形にともなって、前記スリット表面を下方にスライドして、前記溝の切欠き部に弾性係合される畳台座の角部框結合構造を提供する。
【００１０】
そして第4には、前記第3の発明の畳台座の角部框結合構造において、スリットを有する溝部上端は、傾斜カットされており、前記突設片の弾性変形によるスライドの開始を容易とする畳台座の角部框結合構造も提供する。
【発明の効果】
【００１１】
上記第1の畳台座の角部框結合構造によれば、畳台座の角部において、直框の結合固定を施工効率よく行うことができ、また、隙間が発生することなく、見栄えをよくすることもできる。
【００１２】
また、上記第2の畳台座の角部框結合構造によれば、上記第1の畳台座の角部框結合構造と同様の効果が得られ、また、框結合部材の上下方向に配設されたスリットを有する溝に角カバー部材の突条を挿入することによって、框結合部材と角カバー部材との取り付け固定力をより向上させることができる。
【００１３】
さらに、上記第3の畳台座の角部框結合構造によれば、上記第1および第2の畳台座の角部框結合構造と同様の効果が得られ、また、角カバー部下端部に突設片を設けたことにより、角カバー部の下端部の弾性変形が可能となり、框結合部材の下端部に設けられた切欠き部に弾性係合させることができ、框結合部材と角カバー部材との取り付け固定を、さらに安定にすることができる。
【００１４】
そして、上記第4の畳台座の角部框結合構造によれば、上記第1〜第3の畳台座の角部框結合構造と同様の効果が得られ、またさらに、框結合部材の上端部を傾斜カットして、前記突設片の弾性変形によるスライドの開始を容易とすることによって、スムースにスライドさせることができる。
【発明を実施するための最良の形態】
【００１５】
この出願の発明は上記のとおりの特徴をもつものであるが、以下、その実施の形態について詳しく説明する。
【００１６】
図１は、この出願の発明の一実施形態を例示した要部分解斜視図である。この図１に沿って説明すると、この出願の発明の畳台座の角部框結合構造は、畳台座(1)の角部において直框(2)にビス (5)等で結合固定される框結合部材(3)と、この框結合部材(3)に角カバー部材(4)が取り付け固定される構造としている。框結合部材(3)は、角部両側の直框(2)に結合される角平板部(31)を備えており、この角平板部(31)の上端面には全長に亘って係合溝(32)が形成されている。
【００１７】
一方、角カバー部材(4)は、角部を覆う角カバー部(41)とともに天板部(42)を備え、この天板部(42)下面に略全長に亘って突条(44)を有しており、框結合部材(3)の角平板部(31)上端面の係合溝(32)に角カバー部材(4)の天板部(42)下面の突条(44)が上方より矢印にて示すように嵌入されて、框結合部材(3)に角カバー部材(4)が取り付け固定されることを特徴としている。
【００１８】
直框(2)と框結合部材(3)とを結合固定する際には、上記のビス(5)の使用以外に、釘等他の固定具による結合固定ももちろんでき、使用する固定具の数についても特に制限されるものではない。また、これら固定具による結合固定の前処理として、直框(2)と框結合部材(3)との当接面に接着剤等の塗布を行うことにより、さらに確実に、強固に結合固定することができる。
【００１９】
なお、上記の框結合部材(3)の係合溝(32)と角カバー部材(4)の突条(44)の形状は、相互に確実に嵌入することのできる形状であれば、特に制限されるものではない。
【００２０】
上記のとおり、この出願の発明の畳台座の角部框結合構造は、直框(2)をビス(5)等を介して、角平板部(31)に結合固定しているため、安定的に固定される。また、従来のダボ結合のように框の端部を位置合わせして当接しながら結合する必要がないため、施工者1人でも結合固定することができ、施工効率を向上させることができる。
【００２１】
そして、角カバー部材(4)は、角カバー部材(4)の突条(44)を框結合部材(3)の係合溝(32)に嵌入させて框結合部材(3)に確実に取り付けられる。このため、隙間を発生することもなく、しかも直框(2)の上面および側面と框結合部材(3)の天板部(42)および角カバー部(41)とを面一とすることができるため、さらに見栄えのよい畳台座(1)の角部とすることができる。
【００２２】
図２および３は、この出願の発明の別の実施形態を例示した要部分解斜視図である。この図２および３に例示した実施形態は、基本的な点は前記の例と略同様であるが、図２おいては、框結合部材(3)にスリットを有した溝(33)が設けられ、角カバー部材(4)に断面が略T字形の突条(44)が設けられている点で異なり、一方、図３においては、さらに、溝(33)の最下端が切欠かれており、また、突条(44)も最下端が一部切欠かれているとともに、突設片(45)が配置されている点で異なる。
【００２３】
図２は、上記の特徴を有する畳台座の角部框結合構造において、框結合部材(3)の角平板部(31)の両側端部には、上下方向に、全長に亘ってスリットを有する溝(33)が配設されている。また、角カバー部材(4)は、角カバー部(41)の両側端部に、全長または略全長に亘って断面が略T字形の突条(44)を有している。この框結合部材(3)の角平板部(31)両側端部の溝(33)に、角カバー部材(4)の角カバー部(41)両側端部の突条(44)を挿入することによって、框結合部材(3)と角カバー部材(4)との取り付け固定力をより向上させることができる。なお、框結合部材(3)に設けられている前記スリットを有する溝(33)の形状と角カバー部材(4)の略T字型の突条(44)の形状は、相互に適合する形状に形成されることが好ましく、これらの形状は断面が略T字形だけでなく、略T字形を多少変形させた形状としてもよい。
【００２４】
図３は、上記の特徴を有する畳台座の角部框結合構造において、框結合部材(3)の角平板部(31)の両側端部におけるスリットを有する溝(33)は、最下端が切欠かれている。また、角カバー部材(4)の角カバー部(41)の両側端部の突条(44)も最下端が一部切欠かれているとともに、角カバー部(41)下端には内方に向かう突設片(45)が配置されている。この突設片(45)が、角カバー部(41)の矢印に示すような弾性変形にともなって、前記スリット表面を下方にスライドして、前記溝(33)の切欠き部(34)に弾性係合されることによって、さらに安定、かつ、確実に框結合部材(3)と角カバー部材(4)とを取り付け固定することができる。
【００２５】
また、図４は、この出願の発明のさらに別の実施形態を例示した要部分解斜視図である。この図４に例示した畳台座の角部框結合構造の場合には、框結合部材(3)に配設されているスリットを有する溝(33)部の上端が、傾斜カットされている。この傾斜カットにより、前記突設片(45)の弾性変形によるスライドの開始を容易とすることにより、スムースにスライドさせることができる。この傾斜カットに適合するように、傾斜カット部分と隣設する直框(2)の角部、および傾斜カット部分と当接する角カバー部材(4)の角部の形状もこれに合わせるようにすることによって、畳台座(1)の角部の形状に統一感を持たせることができる。その結果、さらに見栄えのよい畳台座(1)の角部とすることができる。
【００２６】
この出願の発明の畳台座の角部框結合構造においては、框結合部材(3)や角カバー部材(4)等の各部材の大きさや形状、材質等、その細部の形態において様々に可能であることは言うまでもない。
【産業上の利用可能性】
【００２７】
以上詳しく説明したとおり、この出願の発明によって、畳台座の角部において、直框の結合固定を施工効率よく行うことができ、また、隙間が発生することなく、見栄えもよくすることができる新しい畳台座の角部框結合構造が提供される。
【図面の簡単な説明】
【００２８】
【図１】この出願の発明の一実施形態を例示した要部分解斜視図である。
【図２】この出願の発明の別の実施形態における框結合部材および角カバー部材を例示した要部分解斜視図である。
【図３】この出願の発明のさらに別の実施形態における框結合部材および角カバー部材を例示した要部分解斜視図である。
【図４】この出願の発明のさらにまた別の実施形態を例示した要部分解斜視図である。
【図５】従来の畳台座を例示した全体斜視図である。
【符号の説明】
【００２９】
1  畳台座
2  直框
3  框結合部材
31  角平板部
32  係合溝
33  溝
34  切欠き部
35  底板
4  角カバー部材
41  角カバー部
42  天板部
43  突条
44  突条
45  突設片
5  ビス
ア  畳台座
イ  コーナー材
ウ  框
【図１】
2005042495.tif 000003
【図２】
2005042495.tif 000004
【図３】
2005042495.tif 000005
【図４】
2005042495.tif 000006
【図５】
2005042495.tif 000007